(57)【要約】【課題】ネットワーク管理ユーティリティーのデバイス一覧表示は、デバイス名・画像の表示が多く、ユーザの機能認識に好適ではなかった。この解決の為、文字主体の機能アイコンを装備し、画面上に自動的に表示することで、ユーザが目的とする機能を持つデバイスを認識しやすい画面を提供する。【解決手段】ネットワークを介して接続されているホストコンピュータとデバイスを管理するネットワーク管理ユーティリティにおいて、ホストは前記デバイスの情報を取得する手段と、前記取得手段に基づいて情報を判断する手段と、予め機能アイコンを格納する手段と、判断手段による結果を機能アイコンの表示に反映させる制御手段と、該制御結果、一覧表示に機能アイコンを付加して表示する表示手段を具備する。【選択図】　　　　図１
2004110370.tif 000002
【特許請求の範囲】
【請求項１】
ネットワークを介して接続されているホストコンピュータとデバイスを管理するネットワーク管理ユーティリティにおいて、ホストコンピュータは前記デバイスの状態情報を取得する取得手段と、前記取得手段に基づいて取得したデバイス状態情報を判別する判別手段と、機能アイコンを予め格納しておく記憶手段と、判別手段による判別結果に基づく状態情報表示の制御を行なう制御手段と、該制御手段の制御により機能アイコンをホストコンピュータの表示装置に表示する表示手段を具備し、前記記憶手段は、デバイスの機能情報アイコン（プリンタ・コピー・スキャナ等）を含有し、前記制御手段は当該デバイスの機能情報に対応する機能情報アイコンを記憶手段から抽出し、前記表示手段の一覧画面上に表示し、ユーザーが当該デバイスのメイン情報画面を見ずにデバイス機能を把握できる表示方法を特徴とし、前記機能アイコンの形状は、文字情報を主体とすることを特徴とするネットワーク管理ユーティリティ。
【請求項２】
請求項１のネットワーク管理ユーティリティにおいて、デバイスの機能情報アイコンの表示を行なうか選択できる手段を具備し、前記選択手段は、前記機能情報アイコンを表示する選択肢の他に、従来の表示を行なう選択肢も用意され、ユーザーはいずれも選択可能であることを特徴とするネットワーク管理ユーティリティ。
【発明の詳細な説明】
【０００１】
【発明の属する技術分野】
本発明は、ネットワークで接続されているデバイスをホストコンピュータ上で管理するネットワーク管理ユーティリティにおけるデバイスの一覧表示制御方法に関する。
【０００２】
【従来の技術】
コンピュータを相互に接続したローカルエリアネットワーク（ＬＡＮ）の構築により、ホストコンピュータと該ホストコンピュータに接続されるデバイスの物理的間隔は広がりつつあり、接続先デバイスの管理、使用にはネットワーク管理ユーティリティの役割が重要になってきている。
【０００３】
ネットワーク管理ユーティリティとは、ユーザーがユーティリティ起動することにより、ホストコンピュータ上に、ネットワークを介して接続されているデバイスを自動的に検索し、検索結果を表示する形態のもので、画面上にデバイス画像、デバイス名、該デバイスの状態を表示する形態が多い。本案は、ユーティリティ起動直後に表示するデバイス一覧画面のデバイス表示制御に関するものである。
【０００４】
現在のデバイス一覧表示は、デバイス画像、デバイス名、該デバイスの状態情報例えばＲｅａｄｙ／Ｎｏｔ　Ｒｅａｄｙなどをビットマップ、アイコン等で表示し、ユーザーは該表示から接続デバイスの状態情報を取得していた。
【０００５】
ネットワーク上での出力機器の表示制御には、特開平１０−３２０３４１号公報“ネットワークにおける入出力機器”に記載されているようなものがあるが、この一覧表示方法は機能の種類の指定をユーザーが実行する必要があり、一覧表上に自動的に機能を並べて表示するものではない。
【０００６】
また、特開平１０−２８３２２４号公報“デバイスの状態表示装置”があるが、これはデバイスをマークで表示するタイプであり、文字情報アイコンで機能を示す本案とは異なる。
【０００７】
【発明が解決しようとする課題】
ネットワーク接続環境において、ＭＦＰ（Ｍｕｌｔｉ　Ｆｕｎｃｔｉｏｎ　Ｐｅｒｉｐｈｅｒａｌ）機器との接続が一般的な今日では、ユーザーは接続先が単一機能のデバイスであるか、多機能デバイスであるかを把握する必要があるのは当然である。しかしながら、現状の一覧表示のデバイス名称と簡易な画像アイコンからでは、機能情報は取得できず、当該デバイスの全情報を表示するメイン情報画面を改めて開かなければならなかった。
【０００８】
本発明では、上述のユーザーの負担を軽減するために、一覧表示上でデバイスの機能情報を提供することを目的としている。また文字情報を主体とするアイコンにすることで、記号や小さい画像の認識が困難なユーザーにも即座に理解できる一覧表示環境を提供できる。
【０００９】
【課題を解決するための手段】
本発明のネットワーク管理ユーティリティは、ホストコンピュータ上において、デバイスへ情報通知を要求する情報要求手段と、取得した通知情報の内容を判別する判別手段と、判別結果を予めユーザーが指定した表示方法に基づいて、該当する機能アイコンを表示装置に出力する制御手段と、該出力を表示する表示手段と、予め用意しておく機能アイコンを格納する格納手段を有する。
【００１０】
前記ユーザー指定の機能アイコンの設定手段は、ユーザーからの入力を受け付ける入力手段と、該入力値を格納する格納手段を有する、という構成をとっている。
【００１１】
（作用）
本発明におけるネットワーク管理ユーティリティは、ホストコンピュータ上において、ネットワークを介して接続されたデバイスに対しで情報を要求し、デバイスからの各種情報を取得すると、その情報を判別し、判別結果に基づいて、ユーザーが予め設定しておいた表示方法が機能アイコンの表示である場合に、機能アイコンを一覧表示画面に出力する作用を持つ。
【００１２】
【発明の実施の形態】
以下、本発明に係る実施例を図面をまじえて説明する。
【００１３】
まず最初に、本案に好適な環境を構築するネットワーク管理プロトコルの動作の概略について説明する。
【００１４】
本案に好適なネットワーク管理プロトコルのひとつとして、簡易ネットワーク管理プロトコル（Ｓｉｍｐｌｅ　Ｎｅｔｗｏｒｋ　Ｍａｎａｇｍｅｎｔ　Ｐｒｏｔｏｃｏｌ，ＳＮＭＰ）と呼ばれるプロトコルがある。
【００１５】
このＳＮＭＰネットワーク管理操作によってユーザーは、管理マネージャ上（通常はホストコンピュータ）でネットワーク管理ユーティリティを用いて管理対象ノード上のエージェントソフトウェアと通信し、ネットワークを介したデバイスの情報を取得、また情報を変更することができる。
【００１６】
ユーザーがネットワーク上のデバイスに対して管理データを要求すると、管理ソフトウェアはオブジェクト識別情報を管理パケットまたはフレームに入れてターゲットエージェントへ送り出す。エージェントは、そのオブジェクト識別情報を解釈して、そのオブジェクト識別情報に対応するデータを取り出し、そのデータをパケットに入れてユーザーに送り返す。時には、データを取り出すために対応するプロセスが呼び出される場合もある。
【００１７】
ネットワーク管理ユーティリティの発信する情報要求に対してデバイスは、ＭＩＢ情報を提供する。ネットワーク管理ユーティリティはデバイスから提供されたＭＩＢ情報の中から、デバイスの状態、名称、機能などの情報を読み出して、ユーザーに提示する。
【００１８】
次に、本案に好適な環境を構築するネットワーク接続の全体構成についてターゲットデバイスをプリンタに想定して説明する。
【００１９】
図１は、プリンタをネットワークに接続するためのネットワークボード（ＮＢ）１０１を、開放型アーキテクチャを持つプリンタ１０２へつなげた場合を示す図である。ＮＢ１０１はローカルエリアネットワーク（ＬＡＮ）１００へ、例えば、同軸コネクタをもつＥｔｈｅｒｎｅｔ（Ｒ）インターフェース１０Ｂａｓｅ−２や、ＲＪ−４５を持つ１０Ｂａｓｅ−Ｔ等のＬＡＮインターフェースを介して接続されている。
【００２０】
ホストコンピュータ１０３やホストコンピュータ１０４等の複数のパーソナルコンピュータ（ホストコンピュータ）もまた、ＬＡＮ１００に接続されており、ネットワークオペレーティングシステムの制御の下、これらのホストコンピュータ１０３，１０４はＮＢ１０１と通信することができる。この状態で、ホストコンピュータの一つ、例えばホストコンピュータ１０３を、ネットワーク管理部として使用するように指定することができる。またホストコンピュータ１０３に、ホストコンピュータ１０４に接続されているプリンタ１０５のようなプリンタを接続してもよい。
【００２１】
また、ＬＡＮ１００にファイルサーバ１０６が接続されており、これは大容量（例えば１００億バイト）のネットワークディスク１０７に記憶されたファイルへのアクセスを管理する。プリントサーバ１０８は、接続されたプリンタ１０９、又は遠隔地にあるプリンタ１０５などのプリンタに印刷を行わせる。また他の図示しない周辺機器をＬＡＮ１００に接続してもよい。
【００２２】
ファイルサーバ１０６は、ＬＡＮメンバ間でデータのファイルの受信や、記憶、キューイング、キャッシング、及び送信を行うファイル管理部としての役割を果たす。例えば、ホストコンピュータ１０３及びホストコンピュータ１０４のそれぞれによって作られたデータファイルは、ファイルサーバ１０６へ送られ、ファイルサーバ１０６はこれらのデータファイルを順に並べ、そしてプリントサーバ１０８からのコマンドに従って、並べられたデータファイルをプリンタ１０９ａへ送信する。
【００２３】
またホストコンピュータ１０３とホストコンピュータ１０４はそれぞれ、データファイルの生成や、生成したデータファイルのＬＡＮ１００への送信や、また、ＬＡＮ１００からのファイルの受信や、更にそのようなファイルの表示及び／又は処理を行うことのできる通常のホストコンピュータで構成される。尚、図１ではパーソナルコンピュータ機器が示されているが、ネットワークソフトウエアを実行するのに適切であるような、他のコンピュータ機器を含んでもよい。例えば、ＵＮＩＸ（Ｒ）のソフトウエアを使用している場合に、ＵＮＩＸ（Ｒ）ワークステーションをネットワークに含んでもよく、これらのワークステーションは、適切な状況下で、図示されているホストコンピュータと共に使用することができる。
【００２４】
通常、ＬＡＮ１００などのＬＡＮは、一つの建物内の一つの階又は連続した複数の階でのユーザーグループ等の、幾分ローカルなユーザーグループにサービスを提供する。例えば、ユーザーが他の建物や他県にいるなど、あるユーザーが他のユーザーから離れるに従って、ワイドエリアネットワーク（ＷＡＮ）を作ってもよい。従って、図１に示すように、ＬＡＮ１００と、ＬＡＮ１１０と、ＬＡＮ１２０とは変調／復調（ＭＯＤＥＭ）／トランスポンダ１３０及びバックボーン１４０を介して接続されてＷＡＮを形成する。これらの接続は、数本のバスによる単純な電気的接続である。それぞれのＬＡＮは専用のホストコンピュータを含み、また、必ずしも必要なわけではないが、通常はファイルサーバ及びプリントサーバを含む。従って図１に示すように、ＬＡＮ１１０は、ホストコンピュータ１１１と、ホストコンピュータ１１２と、ファイルサーバ１１３と、ネットワークディスク１１４と、プリントサーバ１１５と、プリンタ１１６及びプリンタ１１７とを含む。対照的に、ＬＡＮ１２０はホストコンピュータ１２１とホストコンピュータ１２２のみを含む。ＬＡＮ１００と、ＬＡＮ１１０と、ＬＡＮ１２０とに接続されている機器は、ＷＡＮ接続を介して、他のＬＡＮの機器の機能にアクセスすることができる。
【００２５】
ネットワークボード上へのエージェントの実装例として、プリンタをネットワークに接続するためのネットワークボード上にエージェントを実装することが考えられる。これにより、プリンタをネットワーク管理ユーティリティによる管理の対象とすることができる。ユーザーは、ネットワーク管理ユーティリティを用いて制御対象のプリンタの情報を得、また状態を変更することができる。より具体的には、例えばプリンタの液晶ディスプレイに表示されている文字列を取得したり、デフォルトの給紙カセットを変更したりすることができる。以下、エージェントを実装したネットワークボード（ＮＢ）をプリンタに接続する例で説明する。
【００２６】
図２は複合機の構成を示すブロック図である。２０７は、原稿を画像情報に変換する画像入力手段としてのリーダ部、２０８は、複数種類の記録紙カセットを有し、プリント命令により画像情報を記録紙上に可視像として出力する画像出力手段としてのプリンタ部、２０６は、リーダ部２０７に電気的に接続されており、各種の機能を有する外部装置である。
【００２７】
ここに、リーダ部２０７、プリンタ部２０８、及びコア部２０５は、本発明の複合機能複写機における複写機能部を構成する。
【００２８】
外部装置２０６には、ホストコンピュータ５００に接続されるコンピュータインターフェイス部２０１と、ホストコンピュータ５００から送られてきた画像情報を可視像とするためのフォーマッタ部２０２と、ホストコンピュータ５００から送られてきた画像情報及びリーダ部２０７からの画像情報を一時的に蓄積するためのイメージメモリ部２０３と、各種画像情報を記憶する記憶手段としての記憶装置部２０４と、リーダ部２０７、プリンタ部２０８、コンピュータインターフェース部２０１、フォーマッタ部２０２、イメージメモリ部２０３及び記憶装置部２０４の各機能を制御し、情報処理を行う制御手段としてのコア部２０５とを備えている。プリンタ部２０８から出力された転写紙は、ソート機能が働いている場合には各ビンに、又はソート機能が働いていない場合には最上位のビンに排出される。ここに、ホストコンピュータ５００、コンピュータインタフェース部２０１、コア部２０５、及びプリンタ部２０８は、本発明の複合機能複写機におけるプリンタ機能部を構成する。
【００２９】
図３は、ネットワーク管理ユーティリティが稼動可能なホストコンピュータの構成を示すブロック図である。
【００３０】
図３において、５００は、ネットワーク管理ユーティリティが稼動するホストコンピュータであり、図１における１０３と同等である。ホストコンピュータ５００は、ＲＯＭ５０２もしくはハードディスク（ＨＤ）５１１に記憶された、あるいはフロッピー（Ｒ）ディスクドライブ（ＦＤ）５１２より供給されるネットワーク管理ユーティリティを実行するＣＰＵ５０１を備え、システムバス５０４に接続される各デバイスを総括的に制御する。５０３はＲＡＭで、ＣＰＵ５０１の主メモリ、ワークエリア等として機能する。５０５はキーボードコントローラ（ＫＢＣ）で、キーボード（ＫＢ）５０９や不図示のポインティングデバイス等からの指示入力を制御する。５０６はＣＲＴコントローラ（ＣＲＴＣ）で、ＣＲＴディスプレイ（ＣＲＴ）５１０の表示を制御する。５０７はディスクコントローラ（ＤＫＣ）で、ブートプログラム、種々のアプリケーション、編集ファイル、ユーザファイルそしてネットワーク管理プログラム等を記憶するハードディスク（ＨＤ）５１１およびフロッピー（Ｒ）ディスクコントローラ（ＦＤ）５１２とのアクセスを制御する。５０８はネットワークインタフェースカード（ＮＩＣ）で、ＬＡＮ１００を介して、エージェントあるいはネットワーク機器と双方向にデータをやりとりする。
【００３１】
図４ネットワーク管理ユーティリティのモジュール構成図は、本発明の実施の形態に係るネットワーク管理ユーティリティのモジュール構成図である。このネットワーク管理ユーティリティは、図３におけるハードディスク５１１に格納されており、ＣＰＵ５０１によって実行される。その際、ＣＰＵ５０１はワークエリアとしてＲＡＭ５０３を使用する。
【００３２】
図４において、６０１はデバイスリストモジュールと呼ばれ、ネットワークに接続されたデバイスを一覧にして表示するモジュールである。６０２は全体制御モジュールと呼ばれ、デバイスリストからの指示をもとに、他のモジュールを統括する。６０３はコンフィグレータと呼ばれ、エージェントのネットワーク設定に関する特別な処理を行うモジュールである。６０４は、探索モジュールと呼ばれ、ネットワークに接続されているデバイスを探索するモジュールである。探索モジュール６０４によって探索されたデバイスが、デバイスリスト６０１によって一覧表示される。６０５は、プリントジョブの状況をＮｅｔＷａｒｅ　ＡＰＩ６１６を用いてネットワークサーバから取得するＮｅｔ　Ｗａｒｅジョブモジュールである。６０６および６０７はデバイスリストに表示する以外の詳細情報を表示するためのＵＩモジュールであり、詳細情報を表示する対象機種毎にＵＩモジュールが存在する。６０８および６０９は制御モジュールと呼ばれ、詳細情報を取得する対象機種に特有の制御を受け持つモジュールである。ＵＩモジュールと同様に、制御モジュールも詳細情報を表示する対象機種毎に存在する。制御Ａモジュール６０８および制御Ｂモジュール６０９は、ＭＩＢモジュール６１０を用いて管理対象デバイスからＭＩＢデータを取得し、必要に応じてデータの変換を行い、各々対応するＵＩＡモジュール６０６またはＵＩＢモジュール６０７にデータを渡す。
【００３３】
さて、ＭＩＢモジュール６１０は、オブジェクト識別子とオブジェクトキーとの変換を行うモジュールである。ここでオブジェクトキーとは、オブジェクト識別子と一対一に対応する３２ビットの整数のことである。オブジェクト識別子は可変長の識別子であり、ネットワーク管理ユーティリティを実装する上で扱いが面倒なので、本願に係るネットワーク管理ユーティリティにおいてはオブジェクト識別子と一対一に対応する固定長の識別子を内部的に用いている。ＭＩＢモジュール６１０より上位のモジュールはこのオブジェクトキーを用いてＭＩＢの情報を扱う。６１１はＳＮＭＰモジュールと呼ばれ、ＳＮＭＰパケットの送信と受信を行う。６１２は共通トランスポートモジュールと呼ばれ、ＳＮＭＰデータを運搬するための下位プロトコルの差を吸収するモジュールである。実際には、動作時にユーザが選択したプロトコルによって、ＩＰＸハンドラ６１３かＵＤＰハンドラ６１４のいずれかがデータを転送する役割を担う。コンフィグレータ６０３が用いる現在のプロトコル６１５というのは、動作時にユーザが選択しているＩＰＸプロトコルかＵＤＰプロトコルのいずれかのことを示す。
【００３４】
次に上述の構成でのネットワーク管理ユーティリティを利用したネットワークデバイスの情報取得についてフローチャート１で説明する。ここでは接続先デバイスとしてプリンタを例にして述べるが、ネットワークデバイスであればいずれも適用可能である。
【００３５】
まず、ネットワーク管理ユーティリティを起動すると、ステップＳ１１によりこのネットワーク管理ユーティリティで管理しているすべてのＭＩＢのオブジェクトを収集する。
【００３６】
ステップＳ１２では、すべてのオブジェクト情報を取得し終わったかどうかを判断する。
【００３７】
すべてのオブジェクト情報を取得し終わったならば、ステップＳ１３により、このネットワーク管理ユーティリティのデバイスリストを作成し、ステップＳ１４に進んで図５を表示し、本フローチャートを終了する。
【００３８】
もし、ステップＳ１２において、すべてのオブジェクト情報を取得し終わっていないならば、ステップＳ１１に戻り、プリンタの情報を再取得し、ステップＳ１３に進む。
【００３９】
次に［デバイスリスト］について説明する。
【００４０】
ＳＮＭＰによる起動の処理が終了すると、図５に示すデバイスリスト表示ウィンドウを表示する。このデバイスリスト表示ウインドウは、現在ネットワークに接続されているデバイスの一覧を表示するためのウインドウである。デバイスから取得した情報によって、接続デバイスの名称、状態表示などが対応する表示位置に表示される。
【００４１】
デバイスの接続状況や動作状態を一定間隔でポーリングすることにより、デバイスの一覧を定期的に更新し、デバイスの動作状態をアイコンに反映する。新たにデバイスを検出した場合、デバイスの一覧にそのデバイスの情報を追加する。
【００４２】
（フローチャート２）続いて、ホストコンピュータ上でのユーザーによるアイコン表示設定処理をフローチャート２を用いて説明する。該設定処理はデバイスリストモジュールにより表示画面でユーザーの入力を要求し、ユーザーのキー入力またはマウスクリックその他の入力手段によって所望の設定入力を受け付ける処理である。
【００４３】
まず、ステップ２１の機能アイコン表示の設定ダイアログ画面（不図示）において、ユーザーが入力した機能アイコン表示の設定結果を取得する。ステップ２２で機能アイコン表示設定がＯＮ（表示）であるか否か判断する。ここでＯＦＦ（非表示）の場合は処理を終了し、一覧表示設定にはなんの影響も与えない。機能アイコン表示をユーザーが選択すると、ステップ２３でユーザーの入力値を格納部に格納して、設定処理を終了する。当該設定はユーティリティ画面の表示メニューに組み込んでもよいし、インストール時に選択画面を表示して設定することも可能とする。
【００４４】
続いてホストコンピュータ上での状態情報制御の過程をフローチャート３で記述する。
【００４５】
まず、ステップ３１で制御部はデバイスから返答されたデバイス情報を取得する。ステップ３２は取得したデバイス情報を表示制御部へ渡し、従来通りの表示を行なう。ステップ３３ではユーザーが設定した機能情報アイコン表示の設定を格納部から読み込む。Ｓ３３の結果、機能情報アイコン表示設定がない場合は機能情報アイコン表示ＯＦＦと判断し、処理を終了する。
【００４６】
ステップ３４で機能アイコン表示選択の場合は、ステップ３５においてデバイスの機能を判断し、該当する機能アイコンを格納部から取得し、ステップ３６において機能アイコンを表示装置に出力して終了する。
【００４７】
フローチャート４はフローチャート３のステップ３５の過程の詳細である。
【００４８】
ステップ４１でデバイスの有する機能を判断する。例としてプリンタを挙げるが種類、順序ともこれに限定はしない。プリンタ以外の機能を有する場合は次の機能判断過程ステップ４３に進む。ステップ４１でプリンタ機能有りと判断した場合は、ステップ４２で表１のアイコンテーブルから対応アイコンを取得する。その後ステップ４３で再び同一デバイス内でプリンタ以外の機能があるかどうか判断する。ステップ４３で他の機能無しと判断すると処理を終了する。ステップ４３で機能有りと判断した場合、該機能がコピー機能であるかステップ４４で判断する。ステップ４４で該機能がコピー機能以外と判断すると、ステップ４６の判断過程に進む。ステップ４４で該機能がコピー機能と判断されると、ステップ４５で表１のアイコンテーブルから対応アイコンを取得する。その後ステップ４６でプリンタ・コピー機能以外の機能があるかどうか判断する。ステップ４６で機能無しと判断すると処理を終了する。ステップ４６で機能有りと判断すると、ステップ４７過程で該機能がスキャナであるか判断する。ステップ４７でスキャナ以外の機能であると判断すると、処理を終了する。ステップ４７でスキャナと判断されると、ステップ４８で表１のアイコンテーブルから対応アイコンを取得し、処理を終了する。
【００４９】
図６は、機能アイコン表示設定した場合の出力結果例である。
【００５０】
次に、実施例２について説明する。実施例１では、機能アイコンは一次的な機能分類であるが、実施例２は、機能分類をより詳細にしたものである。
【００５１】
表１の＊項目に挙げたカラー、モノクロ／ＢＪ、ＬＢＰは、機能を更に細分化したアイコンである。この細分化したアイコンを表示することで、ユーザーの要求する機能をデバイスが満たしているか否か、デバイスー覧画面上の判別がより容易になる。
【００５２】
この場合、表示選択の際に詳細な表示を行なうか否かをユーザーが選択するために、不図示の選択画面において、詳細な機能アイコンの表示を行なうか否かを、ユーザーが選択する選択肢を設ける。次に実際の表示工程はフローチャート５の過程を必要とする。ここではプリンタ機能を例にアイコン制御過程を説明する。まず、該デバイスの機能がプリンタであるかをＳ５１で判断する。プリンタでないと判断した場合は次の機能判別過程Ｓ５７に進む。Ｓ５１でプリンタと判断すると、Ｓ５２で機能アイコンの表示設定値が詳細設定か否か判別する。Ｓ５２で非詳細設定の場合はプリンタ機能アイコンを機能アイコンテーブルから取得する。Ｓ５２で詳細設定の場合はＳ５４の過程で機能アイコンテーブルに詳細プリンタ機能アイコンが存在するか否か判別する。Ｓ５４で詳細プリンタ機能アイコンが存在しなかった場合は、Ｓ５５に進んで普通のプリンタ機能アイコンを取得する。Ｓ５４で詳細プリンタ機能アイコンが存在する場合は、該詳細アイコンを取得し、Ｓ５７の次の機能検索に進む。Ｓ５７で他の機能が検索された場合は再びＳ５１の過程はｐｒｉｎｔｅｒ）を他の機能に置き換えて繰り返し、他の機能が検索されない場合は処理を終了する。
【００５３】
なお、本実施例では、表示手段としてＣＲＴを使用した場合を例にあげたが、ＣＲＴに限定されるものではない。またＭＦＰデバイスとしてプリンタ・コピー・スキャナを例にして記述しているが、本案は複合機はもとより、ネットワークデバイス全般を対象としているものであり、本実施例に挙げたデバイスの種類に限定されるものではない。
【００５４】
【表１】
2004110370.tif 000003
【００５５】
【発明の効果】
本実施例によると、ネットワーク管理ユーティリティを利用するユーザーは、デバイス情報アイコン表示を予め選択しておくことによって、ネットワークデバイスの各種機能を一覧表示上で即座に認識可能となる。
【図面の簡単な説明】
【図１】ネットワーク接続例。
【図２】複合機概略構成概略。
【図３】ホストコンピュータの構成を示すブロック図。
【図４】ネットワーク管理ユーティリティのモジュール構成図及びネットワークデバイスの情報取得のフローチャート（１）。
【図５】デバイス一覧表示例、デバイス情報取得詳細なフローチャート（２）、表示制御処理のフローチャート（３）及び表示制御詳細なフローチャート（４）。
【図６】実施例　出力区結果例及び詳細アイコン表示制御のフローチャート（５）。
【符号の説明】
１００，１１０，１２０　ＬＡＮ
１０１　ネットワークボード
１０１ａ　印刷回路ボード
１０１ｂ　フェースプレート
１０２、１０５、１０９ａ、１０９ｂ，１１６，１１７プリンタ
１０２ａ　シリアルポート
１０２ｂ　パラレルポート
１０３，１０４，１１１，１１２，１２１，１２２　ホストコンピュータ
１０６，１１３　ファイルサーバ
１０７，１１４　ネットワークディスク
１０８，１１５　プリントサーバ
１３０　トランスポンダ
１４０　バックボーン
１５０　プリンタインターフェースカード
１５１　マイクロプロセッサ
１６０　プリンタエンジン
１７０　コネクタ
２００　共有メモリ
３０１　マイクロプロセッサ
３０２　ＲＡＭ
３０３　ＲＯＭ
５００　ホストコンピュータ
５０１　ＣＰＵ
５０２　ＲＯＭ
５０３　ＲＡＭ
５０４　システムバス
５０５　キーボードコントローラ
５０６　ＣＲＴコントローラ
５０７　ディスクコントローラ
５０８　ネットワークインタフェースカード
５０９　キーボード
５１０　ＣＲＴディスプレイ
５１１　ハードディスク
５１２　フロッピー（Ｒ）ディスクドライブ
【図１】
2004110370.tif 000004
【図２】
2004110370.tif 000005
【図３】
2004110370.tif 000006
【図４】
2004110370.tif 000007
【図５】
2004110370.tif 000008
【図６】
2004110370.tif 000009